(57)【要約】【課題】本発明は、鏡付き溝型サッシの照明器具取付構造において、照明器具を取り付けるための部品を別途増やすことなく、而も、従来技術を使って容易に照明器具を取り付けることができることをその課題とするものである。【解決手段】本発明に係る鏡付き溝型サッシの照明器具取付構造は、前部垂下片２、後部垂下片３、上面片４で構成される溝型サッシ１の下開口部５を鏡１４の上縁嵌合部とし、前部垂下片２に外方に突出するネジ棒を植設し照明器具取付部８としてなることを特徴とする鏡付き溝型サッシの照明器具取付構造である。【選択図】図１
2008048931.tif 000002
【特許請求の範囲】
【請求項１】
前部垂下片、後部垂下片、上面片で構成される溝型サッシの下開口部を鏡の上縁嵌合部とし、前部垂下片に外方に突出するネジ棒を植設し照明器具取付部としてなることを特徴とする鏡付き溝型サッシの照明器具取付構造。
【請求項２】
溝型サッシの前部垂下片を後部垂下片より短くすると共に前部垂下片裏面に溝型サッシ方向に凹溝を設けて薄肉部を形成し、該薄肉部に外方に突出するネジ棒を植設し照明器具取付部としてなることを特徴とする請求項１記載の鏡付き溝型サッシの照明器具取付構造。
【請求項３】
溝型サッシの前部垂下片の照明器具取付部に相対向する後部垂下片の位置に作業孔を形成してなることを特徴とする請求項１記載又は請求項２記載の鏡付き溝型サッシの照明器具取付構造。
【発明の詳細な説明】
【技術分野】
【０００１】
本発明は、鏡を取り付けるサッシに照明器具を部品点数が少なく確実に取り付けることができる鏡付き溝型サッシの照明器具取付構造に関するものである。さらに詳しく述べれば、前部垂下片、後部垂下片、上面片で構成される溝型サッシの下開口部を鏡の上縁嵌合部とし、前部垂下片に外方に突出するネジ棒を植設し照明器具取付部としてなることを特徴とする鏡付き溝型サッシの照明器具取付構造に関するものである。
【背景技術】
【０００２】
従来から鏡付きサッシに照明器具を取り付けることは行われている。例えば、特許文献１に示される鏡に照明器具を設ける構造である。この鏡に照明器具を設ける構造は鏡に孔を形成することなく簡単な構成で鏡の前面の上端部に照明器具を配置するものである。しかしながら、この鏡に照明器具を設ける構造は照明器具を取り付けるための取付け部品が別途必要であり、部品点数面から言えば充分なものでなかった。また、特許文献２に示される照明器具を取り付ける構造は鏡付きサッシに該当する構造がないものである。
【０００３】
又、本願の図３、図４に示される従来技術において、（イ）は溝型サッシ、（ロ）は照明器具取付金具である。溝型サッシ（イ）の下開口部（ト）は鏡（ニ）の上縁嵌合部であり、照明器具取付金具（ロ）はボルト（ハ）を突出固定して照明器具取付部としている。（ヘ）は照明器具である。溝型サッシ（イ）は照明器具取付金具（ロ）と共に壁面（ホ）に固定され、照明器具取付金具（ロ）の照明器具取付部であるボルト（ハ）に照明器具（ヘ）が取り付けられる。この図３、図４に示される従来技術においても、照明器具取付金具（ロ）が別途必要であり、やはり部品点数面から充分満足すべきものでなかった。
【特許文献１】特開平１０−３２７９９５号公報  （図１及び図２）
【特許文献２】特開平１１−７３８１５号公報    （要約及び図３）
【発明の開示】
【発明が解決しようとする課題】
【０００４】
本発明は、鏡付き溝型サッシの照明器具取付構造において、照明器具を取り付けるための部品を別途増やすことなく照明器具を取り付けることをその課題とするものである。
【課題を解決するための手段】
【０００５】
上記課題を解決するために、本発明に係る鏡付き溝型サッシの照明器具取付構造は、請求項１に記載した如く、前部垂下片、後部垂下片、上面片で構成される溝型サッシの下開口部を鏡の上縁嵌合部とし、前部垂下片に外方に突出するネジ棒を植設し照明器具取付部としてなることを特徴とする鏡付き溝型サッシの照明器具取付構造である。
【０００６】
又、請求項２に記載した如く、溝型サッシの前部垂下片を後部垂下片より短くすると共に前部垂下片裏面に溝型サッシ方向に凹溝を設けて薄肉部を形成し、該薄肉部に外方に突出するネジ棒を植設し照明器具取付部としてなることを特徴とする請求項１記載の鏡付き溝型サッシの照明器具取付構造である。
【０００７】
又、請求項３に記載した如く、溝型サッシの前部垂下片の照明器具取付部に相対向する後部垂下片の位置に作業孔を形成してなることを特徴とする請求項１記載又は請求項２記載の鏡付き溝型サッシの照明器具取付構造である。
【発明の効果】
【０００８】
請求項１に記載の鏡付き溝型サッシの照明器具取付構造は、照明器具取付部を前部垂下片に外方に突出するネジ棒を植設することにより形成し、このネジ棒に照明器具を取り付けるために、別途部品を準備することなく照明器具を取り付けることができるものである。
【０００９】
請求項２に記載の鏡付き溝型サッシの照明器具取付構造は、溝型サッシの前部垂下片を後部垂下片より短くすると共に前部垂下片裏面に溝型サッシ方向に凹溝を設けて薄肉部を形成し、該薄肉部に外方に突出するネジ棒を植設し照明器具取付部としてなるために、請求項１の発明の効果に加え、ネジ棒の植設の際、ネジ棒基部が前部垂下片裏面に露出しても凹溝内に収納され鏡表面を傷つける恐れが少ないものである。
【００１０】
請求項３に記載の鏡付き溝型サッシの照明器具取付構造は、溝型サッシの前部垂下片の照明器具取付部に相対向する後部垂下片の位置に作業孔を形成してなるために、請求項１及び請求項２の発明の効果に加え、前部垂下片に外方に突出するネジ棒を植設する作業を作業孔より行うことができるので容易に作業を行うことができる効果を有するものである。
【発明を実施するための最良の形態】
【００１１】
以下、本発明の実施形態について、図面を参照して詳細に説明する。図１は本発明の実施例である溝型サッシ１を示すもので、溝型サッシ１は前部垂下片２、後部垂下片３、上面片４で形成される溝型材の下開口部５を鏡の上縁嵌合部としている。
【００１２】
前部垂下片２は後部垂下片３より短く形成されていると共に前部垂下片２に薄肉部６を形成している。薄肉部６は前部垂下片２裏面に溝型サッシ１方向に凹溝７を設けることにより形成されるものである。この前部垂下片２の薄肉部６に外方に突出するネジ棒を植設することにより照明器具取付部８が形成されている。照明器具取付部８を形成するネジ棒に照明器具を具体的に取り付けるには従来技術と同様に行えば良いものである。
【００１３】
９は作業孔である。この作業孔９は溝型サッシ１の照明器具取付部８に相対向する後部垂下片３の位置に形成されているもので、作業孔９よりネジ棒を植設する作業を行うことができるため作業が容易に行えるものである。又、前部垂下片２の薄肉部６に外方に突出するネジ棒を植設することにより照明器具取付部８を形成する場合、ネジ棒基部が前部垂下片２裏面に露出しても薄肉部６を形成する凹溝７内に収納され溝型サッシ１の下開口部５に突出する恐れが少なく、鏡を傷つける恐れが少ないものである。１０は溝型サッシ１を壁面１２に固定するための固定孔である。
【００１４】
この溝型サッシ１は、図２に示す如く、ビス１１により固定孔１０を通じて壁面１２に固定される。１３はパッキン、１４は鏡である。壁面１２に固定された溝型サッシ１の照明器具取付部８に従来技術を使って照明器具を取り付ければ鏡付き溝型サッシの照明器具取付構造が得られる。この鏡付き溝型サッシの照明器具取付構造は照明器具取付部８を前部垂下片２の薄肉部６に外方に突出するネジ棒を植設することにより形成しているために別途取り付け部品を必要とすることがなく部品点数を少なくすることができるものである。
【００１５】
溝型サッシ１の材質はアルミ、合成樹脂等が適切であるが特に限定されるものではない。又、照明器具取付部８はネジ棒を植設することにより形成されるのであるが、ネジ棒の植設は溶接であっても良く、ネジ孔にネジ固定しても良いことは当然のことである。
【図面の簡単な説明】
【００１６】
【図１】本発明にかかる溝型サッシの実施例の斜視図。
【図２】図１に示す実施例の施工状態の断面図。
【図３】従来技術の施工状態の側面図。
【図４】図３に示す従来技術の要部分解図。
【符号の説明】
【００１７】
１        溝型サッシ
２        前部垂下片
３        後部垂下片
４        上面片
５        下開口部
６        薄肉部
７        凹溝
８        照明器具取付部
９        作業孔
１０      固定孔
１１      ビス
１２      壁面
１３      パッキン
１４      鏡
【図１】
2008048931.tif 000003
【図２】
2008048931.tif 000004
【図３】
2008048931.tif 000005
【図４】
2008048931.tif 000006